(57)【要約】      （修正有）【課題】剥離紙を剥離しやすくしたテ−ピングテ−プの提供。【解決手段】帯体の表面に粘着剤層を装着し、剥離紙を貼着したテ−ピングテ−プ１であって、剥離紙４に切目線５を刻設して剥離しやすくしたテ−ピングテ−プ１と、また帯体１２の表面に粘着剤層１３を装着し、剥離紙１４を貼着したテ−ピングテ−プ１１であって、剥離紙１４に切目線１５を刻設して剥離しやすくし、素粒子１６を印荷したテ−ピングテ−プ１１を構成する。【選択図】図２
0003138639.tif 000002
【実用新案登録請求の範囲】
【請求項１】
帯体の表面に粘着剤層を装着し、剥離紙を貼着したテ−ピングテ−プであって、該剥離紙に切目線を刻設し剥離しやすくしたことを特徴とするテ−ピングテ−プ。
【請求項２】
帯体の表面に粘着剤層を装着し、剥離紙を貼着したテ−ピングテ−プであって、該剥離紙に切目線を刻設して剥離しやすくし、素粒子を印荷したことを特徴とするテ−ピングテ−プ。
【請求項３】
帯体が、伸縮性または非伸縮性の素材からなる請求項１または請求項２記載のテ−ピングテ−プ。
【請求項４】
切目線が、剥離紙に刻設した半切線である請求項１または請求項２記載のテ−ピングテ−プ。
【請求項５】
切目線が、直線または点線または破線である請求項１または請求項２、または請求項４記載のテ−ピングテ−プ。
【請求項６】
切目線が、等間隔または不等間隔である請求項１または請求項２、または請求項４または請求項５記載のテ−ピングテ−プ。
【請求項７】
切目線が、テ−プの幅方向または長手方向の直線、または斜線または曲線である請求項１または請求項２、または請求項４または請求項５、または請求項６記載のテ−ピングテ−プ。
【考案の詳細な説明】
【技術分野】
【０００１】  本考案は、剥離紙を剥離しやすくしたテ−ピングテ−プに関するものであるが、素粒子を印荷したテ−ピングテ−プも含むため、平成１９年３月６日出願の実願平２００７−２３４８の装身具及び装置品が、一考案一出願の原則に違反するとの方式指令より、平成１９年５月２８日に提出した手続補正書（方式）のテ−ピングテ−プに関連した国内優先の実用新案登録願に関するものである。
【背景技術】
【０００２】  従って本考案は、出願者らが先に出願した考案（特許文献１）に関連したその周辺技術に関するものでもある。
【特許文献１】実登第３１２１０１０号公報
【０００３】  特許文献１は、糸・紐・布帛・下着・靴下・サポ−タ−・腹巻・リストバンド・ベルト・マスク・クリ−ム等からなる人体に直接接触させる装身具に広く関するものであり、また空気清浄器・陶磁器・電磁波遮蔽具・テレビ・携帯電話等からなる各種装置品または付着品に関するものであった。然しその後の研究で、介護やスポ−ツ用で、関節や筋肉の保護・予防・治療・疲労回復のため貼着するテ−ピングテ−プにも、多大の効果が認められたので、具体的な製品名を記載して、本考案を追加出願するものである。【０００４】  人間の生命体の構成要素となっている臓器は、細胞であり、アミノ酸（蛋白質）からなる有機化合物である。然しそれも辿ってゆくと、分子であり、原子であり、さらには原子を構成する陽子と電子、中性子を経て、素粒子という根源的な存在に至ると考えられている。この素粒子は、形ある粒子であると同時に、目に見えない振動エネルギ−として存在する。【０００５】  現在の物理学では、原子の中の空間には、「素粒子」が満ちあふれていると考えられている。小さな素粒子レベルで考えると、何もない筈の原子のまわりや原子の中には、電子や光子などの素粒子が突然飛び出す不思議な空間だとされている。そしてこの振動エネルギ−が「場」を作り、「場」の中にいる別の生命体の素である素粒子は、振動エネルギ−に共鳴してエネルギ−を得たり、あるいは相互にエネルギ−を与えあっている。【０００６】  水や空気の他、花や樹木などの生物も、細胞・分子・原子・そして素粒子へと組織が小さくなっている。現在の国際物理学の研究では、一番小さいのは素粒子だとされている。従って、素粒子の振動エネルギ−を入力されたものは、細胞の一つ一つが自然治癒力を高め、免疫力も高めることも、人学の素粒子研究所などで立証されている。【０００７】  この根源エネルギ−は、直接的にはその存在を感知することは出来ないが、人間の身体はその素粒子の振動エネルギ−によって生命を維持している。そのため人間は、自然である宇宙生命のエネルギ−を受けて、活性化している。従って、人間の構成要素であり生命力の素である生命エネルギ−は、宇宙に存在する素粒子振動エネルギ−と共振させると、人間の本来持っている振動エネルギ−は整えられて回復し、体のパワ−機能を発揮させることが期待できる。そして素粒子の振動エネルギ−は、人体だけでなく、酒類の熟成や酵母の発酵を促進させる効果もある。【０００８】  素粒子を生み出すための加速器の実験も、試みられている（例えば非特許文献１）。また素粒子の原理についての先行技術も開示されている（例えば特許文献２）。さらに素粒子の応用についての先行技術もある（例えば特許文献３）。そして振動エネルギ−については、一般的な振動エネルギ−の利用方法に止まっている（例えば特許文献４）。
【非特許文献１】素粒子の世界へ  Ｎｅｗｔｏｎ  ８  ２００５
【特許文献２】特開２００５−３１０８０２号公報
【特許文献３】特表平０９−５１１０１６号公報
【特許文献４】特開２００５−１０１５０９号公報
【０００９】  ところで剥離紙を剥離させて使用するテ−ピングテ−プは、一般に剥離紙が剥がしにくく、これを大きく剥離させると、粘着剤層同士が引っ着いてしまうことが欠点となっている。粘着剤層をシップ膏体とし、剥離紙を保護シ−トとした先行技術も開示されている（例えば特許文献５）。
【特許文献５】実登第２５８６６７１号公報
【００１０】  しかし特許文献５は、保護シ−トの一側部に、帯状補強部を設けることにより、保護シ−トから容易に捲ることができるというものである。一方、１０ｃｍ×１４ｃｍサイズ等のシ−トでは、剥離紙の方に切目を入れて、剥離しやすくした鎮痛消炎シップが出回っている。けれども、帯状に巻いたテ−ピングテ−プでは、剥離剥離しやすくする配慮のなされたものは、全くみあたらない。
【考案の開示】
【考案が解決しようとする課題】
【００１１】  そのために本考案は、剥離紙を剥離しやすくした、テ−ピングテ−プの提供を課題とする。
【課題を解決するための手段】
【００１２】  本考案は、帯体の表面に粘着剤層を装着し、剥離紙を貼着したテ−ピングテ−プであって、該剥離紙に切目線を刻設して剥離しやすくしたテ−ピングテ−プを構成して上記の課題を解決した。【００１３】  また本考案は、帯体の表面に粘着剤層を装着し、剥離紙を貼着したテ−ピングテ−プであって、該剥離紙に切目線を刻設して剥離しやすくし、素粒子を印荷したテ−ピングテ−プを構成して上記の課題を解決した。
【考案の効果】
【００１４】  本考案のテ−ピングテ−プは、剥離紙を剥離しやすくしたので、粘着剤層同士が引っ着いてしまう欠点が解消された。【００１５】  本考案のテ−ピングテ−プは、関節や筋肉を保護し、曲がらないように固定し、サポ−タの代わりとして使用することができる。【００１６】  本考案のテ−ピングテ−プの粘着剤層に鎮痛消炎薬剤を使用したり、素粒子を印荷させたものは、肩凝り腰痛等の痛み止め、虫刺されれの消炎、足の疲れや痙攣の解消に効果があり、本来の体の機能を回復・発揮させて、生命力や免疫力などを高めることができる。【００１７】  本考案の素粒子を印荷したテ−プでテ−ピングすると、締め付けることによって力が出て、運動機能を向上させることができる。【００１８】  本考案の素粒子を印荷したテ−ピングテ−プを使用すると、自律神経、うつ病、自閉症などの疾患にも効果がある。
【考案を実施するための最良の形態】
【００１９】  本考案のテ−ピングテ−プは、表面に粘着剤層を装着した帯体と、その表面に貼着した剥離紙とからなっており、剥離紙に切目線を入れることによって、剥離紙を剥がれやすくしたものである。また素粒子を印荷したテ−ピングテ−プは、素粒子の振動エネルギ−を印荷した担持物を封着している。また担持物としては、金属や鉱物などが使用できる。そして担持物への素粒子振動エネルギ−の印荷は、一旦真空下で発生させる等の方法で行うことができる。また、素粒子の振動エネルギ−を入れ込んだ物質は、粉にして再度成型して活用することもできるし、また灰にして活用することもできる。【００２０】  以下、本考案のテ−ピングテ−プを図面に基づいて詳細に説明する。
【実施例１】
【００２１】  図１は、本考案の請求項１、請求項３、請求項４に関する一実施例を示すテ−ピングテ−プで、（イ）は一部切欠断面を含む斜視図、（ロ）は拡大縦断面図、（ハ）は押さえて左右に引っ張り切目線の切断した状態を示す拡大縦断面図、（ニ）は同切断した片方の剥離紙を捲った状態を示す拡大縦断面図である。【００２２】  本実施例のテ−ピングテ−プ１は、スパンデックス糸使用の織物からなる布帯体２の表面に粘着剤層３を装着し、その上に剥離紙４を貼着したテ−プで、４ｃｍ幅の長尺巻き物からなっている。布帯体２は、主として伸縮性素材のほか非伸縮性の素材も用いられる。また粘着剤層３には、鎮痛消炎薬を使用することもできる。鎮痛消炎薬としては、サリチル酸グリコ−ル、１−メント−ル、サクサントコフェロ−ル等の混合成分が使用できる。【００２３】  剥離紙４は、本実施例の場合には紙を使用しており、非伸縮性の素材が主体になる。剥離紙４の表面には、本実施例の場合、幅方向に直線状の半切線からなる切目線５を刻設している。本考案でいう半切線とは、図１（ロ）に示す如く、剥離紙４の厚みの半分の位置まで上から切れ目を入れて、下の方は繋がった状態で残しておくものである。【００２４】  図１（ハ）は、テ−ピングテ−プを上下から押さえて、左右に引っ張った状態を示している。この引っ張りに対して布帯体は伸びるが、非伸縮性の素材からなる剥離紙は伸びず、半切線の下半分が切断し、剥離紙は４ａ，４ｂと分断する。そのため図１（ニ）のように、片方の剥離紙４ｂを捲って、この部分的な剥離した箇所から貼ることができ、剥離紙を全部捲ってしまって、引っ付かせる恐れはなくなった。
【実施例２】
【００２５】  図２は、本考案の請求項２、請求項３、請求項４に関する別の実施例を示すテ−ピングテ−プで、（イ）は一部切欠断面を含む斜視図、（ロ）は拡大縦断面図である。【００２６】  本実施例のテ−ピングテ−プ１１は、スパンデックス糸を使用した織物からなる布帯体１２の表面に、粘着剤層１３を装着し、その上に剥離紙１４を貼着したテ−プであり、４ｃｍ幅の長尺巻き物からなっている。剥離紙１４は、本実施例の場合には紙を使用しており、非伸縮性の素材が主体になる。剥離紙１４の表面には、本実施例の場合、幅方向に直線状の半切線からなろ切目線１５を刻設している。そして本実施例のテ−ピングテ−プ１１は、素粒子１６を印荷している。【００２７】  素粒子１６は、製造時に粘着剤層１３へ印荷させてもよいが、本実施例の場合には、出来上がったテ−ピングテ−プに印荷させている。素粒子の印荷は、真空下で素粒子を発生させ、この中にテ−ピングテ−プを入れて素粒子の振動エネルギ−を入力する方法等によって担持させている。素粒子を担持させたテ−ピングテ−プは、人体に直接接触させることによって生命エネルギ−の振動に共鳴し、傷口の治癒が早まる効果や、運動機能の力を付与する等の多くの効果を期待することができる。
【実施例３】
【００２８】  図３は、本考案の請求項５に関するまた別の実施例を示すテ−ピングテ−プの剥離紙で、（イ）は切目線が直線からなる剥離紙の平面図、（ロ）は切目線が点線からなる剥離紙の平面図、（ハ）は切目線が破線からなる剥離紙の平面図である。【００２９】  剥離紙２４は、幅方向の直線からなる、半切線の切目線２５を示している。次の図３（ロ）の剥離紙３４は、幅方向の点線からなる、全切線に切目線３５の例を示している。そして図３（ハ）の剥離紙４４は、幅方向の破線からなる、全切線の切目線３５の例を示している。
【実施例４】
【００３０】  図４は、本考案の請求項６に関するさらに別の実施例を示すテ−ピングテ−プの剥離紙の平面図である。【００３１】  剥離紙５４は、幅方向の直線からなる、点線の不等間隔の切目線２５の例を示している。
【実施例５】
【００３２】  図５は、本考案の請求項７に関するさらにまた別の実施例を示すテ−ピングテ−プの剥離紙で、（イ）は切目線が長手方向の点線からなる剥離紙の平面図、（ロ）は斜線の切目線が点線からなる剥離紙の平面図、（ハ）は曲線の切目線が点線からなる剥離紙の平面図である。【００３３】  図５（イ）の剥離紙６４は、長手方向の直線で、点線の全切線からなる切目線６５の例を示している。次の図５（ロ）の剥離紙７４は、斜線で、点線の全切線からなる切目線３５の例を示している。そして図５（ハ）の剥離紙８４は、曲線で、全切線からなる切目線８５の例を示している。
【産業上の利用可能性】
【００３６】  本考案のテ−ピングテ−プは、剥離しやすい切目線を剥離紙に刻設したので、使いやすくなり、人体に直接または間接的に貼って、介護に、運動に、治療に、予防にと広く適用することができる。
【図面の簡単な説明】
【００３７】
【図１】  本考案の一実施例を示すテ−ピングテ−プで、（イ）は一部切欠断面を含む斜視図、（ロ）は拡大縦断面図、（ハ）は押さえて左右に引っ張り切目線の切断した状態を示す拡大縦断面図、（ニ）は同切断した片方の剥離紙を捲った状態を示す拡大縦断面図である。
【図２】  本考案の別の実施例を示すテ−ピングテ−プで、（イ）は一部切欠断面を含む斜視図、（ロ）は拡大縦断面図である。
【図３】  本考案のまた別の実施例を示すテ−ピングテ−プの剥離紙で、（イ）は切目線が直線からなる剥離紙の平面図、（ロ）は切目線が点線からなる剥離紙の平面図、（ロ）は切目線が破線からなる剥離紙の平面図である。
【図４】  本考案のさらに別の実施例を示すテ−ピングテ−プの剥離紙の平面図である。
【図５】  本考案のさらにまた別の実施例を示すテ−ピングテ−プの剥離紙で、（イ）は切目線が長手方向の点線からなる剥離紙の平面図、（ロ）は斜線の切目線が点線からなる剥離紙の平面図、（ハ）は曲線の切目線が点線からなる剥離紙の平面図である。
【符号の説明】
【００２１】  １，１１                          テ−ピングテ−プ
２，１２                          帯体
３，１３                          粘着剤層
４，４ａ，４ｂ，１４，２４，３４  剥離紙
４４，５４，６５，７５，８５      剥離紙
５，１５，２５，３５，４５        切目線
５５，６５，７５，８５            切目線
１６                              素粒子
【図１】
0003138639.tif 000003
【図２】
0003138639.tif 000004
【図３】
0003138639.tif 000005
【図４】
0003138639.tif 000006
【図５】
0003138639.tif 000007